(57)【要約】      （修正有）【課題】複数の照明装置を遠隔で制御して照明パターンを生成でき、照明効果を向上させることができる無線照明制御システムを提供する。【解決手段】無線照明制御システムは、照明制御信号を生成するのに必要な情報の入力を受ける第１スマート装置２００Ａと、第１スマート装置と電気的に接続され、照明制御信号を無線で伝送するＳ５１第１照明装置１００Ａと、第１照明装置から照明制御信号を受信し、受信した照明制御信号に基づいて照明部を制御する第２照明装置１００Ｂ〜１００Ｄと、第２照明装置と電気的に接続され、照明制御信号に基づいて表示部を制御する第２スマート装置２００Ｂ〜２００Ｄとを含む。【選択図】図５
2019125586.tif 000002
【特許請求の範囲】
【請求項１】
照明制御信号を生成するのに必要な情報の入力を受ける第１スマート装置と、
前記第１スマート装置と有線通信方式又は無線通信方式で接続され、前記照明制御信号を無線で伝送する第１照明装置と、
前記第１照明装置から前記照明制御信号を受信し、前記受信した照明制御信号に基づいて照明部を制御する第２照明装置と、
前記第２照明装置と有線通信方式又は無線通信方式で接続され、前記照明制御信号に基づいて表示部を制御する第２スマート装置と、
を含む無線照明制御システム。
【発明の詳細な説明】
【技術分野】
【０００１】
本発明は無線照明制御システムに関し、より詳細には、複数の照明装置を遠隔で制御して照明パターンを生成でき、照明効果を向上させることができる無線照明制御システムに関する。
【背景技術】
【０００２】
一般に、照明装置とは光源からの光を反射、屈折及び透過させて照明の目的を達成させるものを指すものである。照明装置は、配光によって間接照明装置、半間接照明装置、全般拡散照明装置、半直接照明装置及び直接照明装置などに分類され得る。
【０００３】
技術の発展により照明装置は多様な用途に用いられている。一例として、照明装置はメディアファサード（Ｍｅｄｉａ ｆａｃａｄｅ）を演出するのに用いられる。メディアファサードとは、建物の外壁などに照明装置を取り付け、メディア機能を実現することをいう。
【０００４】
他の例として、照明装置は一定の照度以下の環境で行われるスポーツ競技やコンサートなどで小型の応援グッズとして用いられもする。ところが、このような環境では複数の照明器具が個別に制御されるため、体系的な照明パターンや形状を生成し難いという側面がある。また、照明装置に配置された光源を用いるだけでは期待通りの応援効果を得るのは容易ではない。
【発明の概要】
【発明が解決しようとする課題】
【０００５】
そこで、本発明は上記事情に鑑みてなされたものであって、その目的は、複数の照明装置を遠隔で制御して照明パターンを生成でき、照明効果を向上させることができる無線照明制御システムを提供することにある。
【課題を解決するための手段】
【０００６】
前述した課題を解決するために、一実施形態に係る無線照明制御システムは、照明制御信号を生成するのに必要な情報の入力を受ける第１スマート装置と、前記第１スマート装置と有線通信方式又は無線通信方式で接続され、前記照明制御信号を無線で伝送する第１照明装置と、前記第１照明装置から前記照明制御信号を受信し、前記受信した照明制御信号に基づいて照明部を制御する第２照明装置と、前記第２照明装置と有線通信方式又は無線通信方式で接続され、前記照明制御信号に基づいて表示部を制御する第２スマート装置とを含む。
【０００７】
前記照明制御信号は、前記第２照明装置の照明部を制御するのに必要な照明部制御情報及び前記第２スマート装置の表示部を制御するのに必要な表示部制御情報を含む。
【０００８】
前記照明部制御情報は、照明の色、照明の明るさ、照明の点灯時刻、照明の点滅間隔及び照明の消灯時刻のうち少なくとも１つを含み、前記表示部制御情報は、前記表示部を通じて表示する画面の色、画面の明るさ、画面表示開始時間、画面の点滅間隔、画面表示終了時間及び画面を通じて表示するコンテンツの識別情報のうち少なくとも１つを含む。
【０００９】
前記第１スマート装置及び前記第２スマート装置は、前記第１照明装置及び前記第２照明装置とそれぞれ接続される場合、照明の制御に必要なデータをサーバに要請し、前記データは、照明制御アプリケーション及び前記第２スマート装置の表示部を通じて表示するコンテンツのうち少なくとも１つを含む。
【００１０】
前記照明制御アプリケーションは、予め設定された照明パターンに対応するアイコン、照明制御実行命令を入力するためのアイコン、照明制御終了命令を入力するためのアイコン、及び動作待機命令を入力するためのアイコンのうち少なくとも１つを含む。
【発明の効果】
【００１１】
本発明によれば、複数の照明装置を遠隔で制御して照明パターンを容易に生成できるという効果を奏する。
【００１２】
照明装置のリソース及び照明装置と連動しているスマート装置のリソースを活用して照明パターンを生成できるので、照明装置の使用による照明効果を増大させることができる。
【図面の簡単な説明】
【００１３】
【図１】一実施形態に係る無線照明制御システムの構成を示す図である。
【図２】図１に示した照明装置の構成を示す図である。
【図３】図１に示したスマート装置の構成を示す図である。
【図４】複数の照明装置及び複数のスマート装置を含む無線照明制御システムの動作に対する一実施形態を示す図である。
【図５】複数の照明装置及び複数のスマート装置を含む無線照明制御システムの動作に対する他の実施形態を示す図である。
【発明を実施するための形態】
【００１４】
本発明の利点及び特徴、そしてそれらを達成する方法は、添付の図面と共に詳細に後述されている実施形態を参照すれば明確になる。しかし、本発明は以下で開示される実施形態に限定されるものではなく、互いに異なる他の多様な形態で実現されることができる。但し、本実施形態は本発明の開示を完全なものにし、本発明が属する技術分野において通常の知識を有する者に発明の範疇を完全に理解させるために提供されるものであり、本発明は請求の範疇により定義されるに過ぎない。
【００１５】
他の定義がなければ、本明細書において用いられる全ての用語（技術及び科学的用語を含む）は、本発明が属する技術分野において通常の知識を有する者に共通して理解され得る意味として使用されることができる。また、一般に用いられる辞典に定義されている用語は、明白に特に定義されていない限り、理想的に又は過度に解釈されない。
【００１６】
本明細書において用いられた用語は、実施形態を説明するためのものであり、本発明を制限しようとするものではない。本明細書において、単数形は特に言及しない限り複数形も含む。明細書において用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。
【００１７】
以下、添付の図面を参照して本発明の実施形態を説明する。図面において同一の図面符号は、同一の構成要素を示す。
【００１８】
図１は、一実施形態に係る無線照明制御システム１の構成を示す図である。
【００１９】
図１を参照すれば、一実施形態に係る無線照明制御システム１は、照明装置１００、スマート装置２００、ネットワーク３００及びサーバ４００を含む。
【００２０】
照明装置１００とは、光源の光を反射、屈折、透過させて光源を固定したり、保護する器具のことをいう。このような照明装置１００は、多様な形状を有することができる。一例として、照明装置１００は、ユーザが把持できるように棒状を有することができる。他の例として、照明装置１００は、ユーザの身体の一部に着用可能な形状を有することもできる。
【００２１】
実施形態によれば、照明装置１００は、スマート装置２００との電気的接続を検知できる。スマート装置２００との電気的接続が検知されると、照明装置１００はスマート装置２００とデータ及び／又は信号を送受信する。例えば、照明装置１００は、スマート装置２００に照明制御アプリケーションがインストールされているかを確認する確認要請信号をスマート装置２００に伝送する。他の例を挙げると、照明装置１００はスマート装置２００から照明制御信号を受信する。照明装置１００の構成に関するより具体的な説明は、図２を参照して後述する。
【００２２】
スマート装置２００は、照明装置１００と電気的に接続されることができる。照明装置１００と電気的に接続されたスマート装置２００は、照明装置１００とデータ及び／又は信号を送受信する。例えば、スマート装置２００は、照明制御アプリケーションがインストールされているか否かを確認する確認要請信号を照明装置１００から受信し、照明装置１００に照明制御信号を伝送する。
【００２３】
スマート装置２００は、ネットワーク３００を介してサーバ４００と通信することもできる。一実施形態によれば、スマート装置２００は、照明制御アプリケーションを要請するアプリケーション要請信号やコンテンツを要請するコンテンツ要請信号をサーバ４００に伝送し、サーバ４００から照明制御アプリケーションやコンテンツを受信する。
【００２４】
一方、サーバ４００から受信した照明制御アプリケーションのインストールが完了すれば、スマート装置２００は該当アプリケーションのインストールが完了したことを通知する信号を照明装置１００に伝送し、照明制御画面を構成して表示する。照明制御画面が表示されると、ユーザは照明の制御と関連する各種命令や情報を入力できる。
【００２５】
前述したようなスマート装置２００は、スマートフォン及びタブレットなどの通信装置を含むことができる。しかし、スマート装置２００が例示されているような通信装置に必ずしも限定されるものではなく、無線通信機能及び表示機能を有する通信装置であれば、スマート装置２００に含まれることができる。スマート装置２００の構成に関するより具体的な説明は、図３を参照して後述する。
【００２６】
サーバ４００は、ネットワーク３００を介して照明装置１００及びスマート装置２００と通信する。一例として、サーバ４００は、スマート装置２００からアプリケーション要請信号を受信し、それに対する応答として照明制御アプリケーションをスマート装置２００に伝送する。他の例として、サーバ４００はスマート装置２００からコンテンツ要請信号を受信し、要請されたコンテンツをスマート装置２００に伝送する。コンテンツとしては、テキスト、イメージ及び動画が挙げられる。
【００２７】
以上、図１を参照して一実施形態に係る無線照明制御システム１の構成について説明した。図１では、照明制御アプリケーションがサーバ４００によりスマート装置２００に配布される場合を例として説明した。他の実施形態によれば、照明制御アプリケーションは、照明装置１００によりスマート装置２００に配布されることもできる。
【００２８】
図２は、図１に示した照明装置１００の構成を示す図である。
【００２９】
図２を参照すれば、照明装置１００は照明部１１０、有線通信部１２０、制御部１３０及び無線通信部１４０を含む。
【００３０】
照明部１１０は、１つ以上の光源を含む。光源としては、発光ダイオード（Ｌｉｇｈｔ Ｅｍｉｔｔｉｎｇ Ｄｉｏｄｅ、ＬＥＤ）が挙げられる。照明部１１０は、互いに異なる色のＬＥＤを含むことができる。例えば、赤色ＬＥＤ、緑色ＬＥＤ、青色ＬＥＤ及び白色ＬＥＤのうち少なくとも１つを含むことができる。これらのＬＥＤからそれぞれ放出される光を混合すると、広い範囲の色を作り出すことができる。混合された色は、各ＬＥＤから放出される光の強度の比に基づいて決定されるが、各ＬＥＤから放出される光の強度は各ＬＥＤの駆動電流に比例する。即ち、各ＬＥＤの駆動電流を制御することによって、照明部１１０から出力される光の色を制御できる。複数のＬＥＤは、ドット状に配列され得るが、これらを選択的に点灯させることによって特定文句やイメージを表示することもできる。
【００３１】
以上の説明では照明部１１０の光源としてＬＥＤを例に説明したが、光源の種類がＬＥＤに限定されるものではない。他の実施形態によれば、光源としては、有機発光ダイオード（Ｏｒｇａｎｉｃ Ｌｉｇｈｔ Ｅｍｉｔｔｉｎｇ Ｄｉｏｄｅ、ＯＬＥＤ）が用いられることもできる。
【００３２】
有線通信部１２０は、照明装置１００とスマート装置２００間の有線通信を担う。図には示していないが、有線通信部１２０は、有線通信ポート（例えば、ＵＳＢポート）を含むことができる。照明装置１００の有線通信部１２０に備えられた有線通信ポートは、スマート装置２００の有線通信部２５０に備えられた有線通信ポートに電気的に接続される。照明装置１００の有線通信ポートがスマート装置２００の有線通信ポートに結合されると、照明装置１００とスマート装置２００との間では、信号及び／又はデータの送受信が行われる。例えば、照明制御アプリケーションがインストールされているか否かを確認する確認要請信号がスマート装置２００に送信され、それに対する応答信号がスマート装置２００から受信される。
【００３３】
無線通信部１４０は、照明装置１００と他の照明装置間の無線通信を担う。このために、無線通信部１４０は無線通信方式をサポートできる。無線通信方式としては、ジグビー（ＺｉｇＢｅｅ）が挙げられる。
【００３４】
ジグビー（ＺｉｇＢｅｅ）は、８６８ＭＨｚ、９０２-９２８ＭＨｚ及び２.４ＧＨｚで動作する周辺装置の接続が無線で行われる個人領域通信網である無線個人領域通信網規格である。ジグビーは、ＩＥＥＥ-ＳＡにより承認されたＩＥＥＥ８０２.１５標準を基盤とする。ジグビーを用いると、無線個人領域通信網内で通常５０ｍ以内の距離に離れている周辺装置間で最高２５０Ｋｂｐｓの速度でデータをやり取りすることができる。
【００３５】
以上の説明では無線通信部１４０がサポートする無線通信方式として、ジグビー（ＺｉｇＢｅｅ）を例に挙げたが、必ずしもこれに限定されるものではなく、無線通信部１４０は例示されているもの以外にも他の無線通信方式を１つ以上更にサポートすることもできる。例えば、無線通信部１４０は、ブルートゥース（Ｂｌｕｅｔｏｏｔｈ）、ワイブロ（Ｗｉｒｅｌｅｓｓ Ｂｒｏａｄｂａｎｄ Ｉｎｔｅｒｎｅｔ、ＷｉＢｒｏ）、ワイファイ（Ｗｉ-Ｆｉ）、ウルトラワイドバンド（Ｕｌｔｒａ Ｗｉｄｅ Ｂａｎｄ、ＵＷＢ）、無線周波数通信（Ｒａｄｉｏ Ｆｒｅｑｕｅｎｃｙ、ＲＦ）、赤外線通信（Ｉｎｆｒａｒｅｄ Ｄａｔａ Ａｓｓｏｃｉａｔｉｏｎ、ＩｒＤＡ）及び近距離無線通信（Ｎｅａｒ Ｆｉｅｌｄ Ｃｏｍｍｕｎｉｃａｔｉｏｎ、ＮＦＣ）のうち少なくとも１つを更にサポートすることもできる。
【００３６】
無線通信部１４０は、１つ以上の無線通信方式をサポートするために１つ以上の無線通信チップを含むことができる。一例として、無線通信部１４０は、ジグビーチップ及びブルートゥースチップを含むことができる。この場合、ジグビーチップは、照明装置１００と他の照明装置間の無線通信を担う。ブルートゥースチップは、照明装置１００とスマート装置２００間の無線通信を担う。即ち、無線通信部１４０のブルートゥースチップは、照明装置１００とスマート装置２００間の有線通信に代えることができる。
【００３７】
制御部１３０は、照明装置１００の各構成要素を接続して制御する。例えば、制御部１３０は、照明装置１００とスマート装置２００との間に電気的に接続されているか否かを検知する。スマート装置２００との接続が検知された場合、制御部１３０は、照明制御アプリケーションがインストールされているか否かを確認する確認要請信号をスマート装置２００に伝送する。
【００３８】
また、制御部１３０は、受信した照明制御信号に基づいて照明部１１０の照明パターンを制御する。例えば、照明制御信号は、照明部制御情報及び表示部制御情報を含むことができるが、制御部１３０は、照明部制御情報に基づいて照明部１１０の照明パターンを制御する。照明部制御情報としては、照明の色、照明の明るさ、照明の点灯時刻、照明の消灯時刻及び照明の点滅速度などが挙げられる。例示されているような照明部制御情報は、事前に予め定義されてもよく、ユーザにより直接設定されてもよい。
【００３９】
以上、図２を参照して図１に示した照明装置１００の構成を説明した。図２に示すように、照明装置１００では電源部が省略され得る。この場合、照明装置１００はスマート装置２００に電気的に接続された後、スマート装置２００から電源の供給を受けて動作する。他の例として、照明装置１００には、電源部（乾電池）が更に備えられることもできる。このような電源部は、照明装置１００から分離された後に他の電源部に交換されるか、外部から供給される電力により充電されることができる。
【００４０】
図３は、図１に示したスマート装置２００の構成を示す図である。
【００４１】
図３を参照すれば、スマート装置２００は入力部２１０、表示部２２０、格納部２３０、制御部２４０、有線通信部２５０及び無線通信部２６０を含む。
【００４２】
入力部２１０は、ユーザから各種情報及び／又は命令の入力を受ける。例えば、照明パターンを選択する照明パターン選択命令、動作待機命令、照明制御を開始する照明制御実行命令、及び実行中の照明制御を終了する照明制御終了命令などの入力を受けることができる。このために、入力部２１０はジョイスチック、マウス、キーパッド及びキーボードのうち少なくとも１つを含むことができる。このとき、キーボードはハードウェア的に実現してもよく、ソフトウェア的に実現してもよい。
【００４３】
表示部２２０は照明制御アプリケーションが駆動される場合、照明制御画面を表示できる。実施形態によれば、照明制御画面には、多様な情報及び／又はアイコンが配置され得る。例えば、予め設定された照明制御パターンに対応するアイコン、照明制御実行命令を入力するためのアイコン、照明制御終了命令を入力するためのアイコンなどが配置されることができる。しかし、照明制御画面に配置されるアイコンが例示されたものに限定されるものではなく、照明制御画面に含まれるアイコンの種類及び配置位置は、ユーザにより設定可能に実現されることができる。
【００４４】
予め定義された照明パターンの中から所定の照明パターンが選択又は設定された後、照明制御実行命令が入力されると、該当照明パターンに対応する照明制御信号が生成されるが、表示部２２０は、このような照明制御信号によって制御される。具体的に、照明制御信号には、照明部制御情報及び表示部制御情報が含まれることができるが、表示部２２０は照明制御信号の表示部制御情報に基づいて制御されることができる。表示部制御情報としては、画面の色、画面の明るさ、画面表示開始時間、画面の点滅間隔、画面表示終了時間、画面を通じて表示するコンテンツの識別情報などが挙げられる。
【００４５】
格納部２３０は、ハードディスクドライブ、光ディスクドライブ、光磁気ディスクドライブ、不揮発性メモリ、揮発性メモリ、又はこれらの組み合わせを含むことができる。このような格納部２３０は、スマート装置２００が動作するのに必要なデータを格納する。例えば、格納部２３０は、照明制御アプリケーションを格納する。照明制御アプリケーションは、スマート装置２００の表示部２２０及び照明装置１００の照明部１１０のうち少なくとも１つを制御できるアプリケーションである。照明制御アプリケーションは、モバイルアプリケーションで実現されることができ、ネットワーク３００を介してサーバ４００により配布されることができる。
【００４６】
有線通信部２５０は、スマート装置２００と照明装置１００間の有線通信を担う。図には示していないが、有線通信部２５０は有線通信ポートを含むことができる。スマート装置２００の有線通信部２５０に備えられた有線通信ポートは照明装置１００の有線通信部１２０に備えられた有線通信ポートに電気的に接続される。スマート装置２００の有線通信ポートが照明装置１００の有線通信ポートに結合されると、スマート装置２００と照明装置１００との間では、信号及び／又はデータの送受信が行われる。例えば、照明制御アプリケーションがインストールされているか否かを確認する確認要請信号が照明装置１００から受信され、それに対する応答信号が照明装置１００に伝送される。
【００４７】
無線通信部２６０は、スマート装置２００と照明装置１００間の無線通信及び／又はスマート装置２００とサーバ４００間の無線通信を担う。このために、無線通信部２６０は１つ以上の無線通信方式をサポートできる。無線通信方式としては、ウルトラワイドバンド（Ｕｌｔｒａ Ｗｉｄｅ Ｂａｎｄ、ＵＷＢ）、ワイファイ（Ｗｉ-Ｆｉ）、ブルートゥース（Ｂｌｕｅｔｏｏｔｈ）、ジグビー（ＺｉｇＢｅｅ）、無線周波数通信（Ｒａｄｉｏ Ｆｒｅｑｕｅｎｃｙ、ＲＦ）及び赤外線通信（Ｉｎｆｒａｒｅｄ Ｄａｔａ Ａｓｓｏｃｉａｔｉｏｎ、ＩｒＤＡ）が挙げられるが、これに限定されるものではない。
【００４８】
制御部２４０は、スマート装置２００内の各構成要素を接続して制御する。例えば、照明装置１００から照明制御アプリケーションがインストールされているか否かを確認する確認要請信号が受信されると、スマート装置２００内に該当アプリケーションがインストールされている状態であるかを確認する。確認の結果、照明制御アプリケーションがインストールされていなければ、制御部２４０はアプリケーション要請信号をサーバ４００に伝送する。その後、サーバ４００から照明制御アプリケーションが受信されると、制御部２４０は受信した照明制御アプリケーションをインストールする。
【００４９】
照明制御アプリケーションのインストールが完了した後、照明制御アプリケーションが実行されると、制御部２４０は照明制御画面を構成する。照明制御画面は、予め定義された照明パターンに対応するアイコン、照明制御実行命令を入力するためのアイコン、照明制御終了命令を入力するためのアイコン及び動作待機命令を入力するためのアイコンなどを含むことができる。ユーザは、照明制御画面から所定の照明パターンを選択したり、照明の制御に必要な情報やデータを入力できる。その後、照明制御実行命令が入力されると、制御部２４０は、選択された照明パターンに対応する照明制御信号を生成する。生成された制御信号は、スマート装置２００の表示部２２０及び照明装置１００の照明部を制御するのに用いられる。
【００５０】
以上、図１〜図３を参照して一実施形態に係る無線照明制御システム１の構成について説明した。
【００５１】
図１は、１つの照明装置１００及び１つのスマート装置２００を示しているが、照明装置１００及びスマート装置２００は、それぞれ複数具備されることができる。この場合、複数の照明装置１００は、第１照明装置（図４の１００Ａ参照）及び第２照明装置（図４の１００Ｂ、１００Ｃ、１００Ｄ参照）を含むことができ、複数のスマート装置２００は、第１スマート装置（図４の２００Ａ参照）及び第２スマート装置（図４の２００Ｂ、２００Ｃ、２００Ｄ）を含むことができる。
【００５２】
第１照明装置１００Ａには第１スマート装置２００Ａが有線通信方式又は無線通信方式で接続され、このような第１照明装置１００Ａはマスタ（ｍａｓｔｅｒ）として動作できる。第２照明装置１００Ｂ、１００Ｃ、１００Ｄには第２スマート装置２００Ｂ、２００Ｃ、２００Ｄが有線通信方式又は無線通信方式で接続され、このような第２照明装置１００Ｂ、１００Ｃ、１００Ｄはスレーブ（ｓｌａｖｅ）として動作できる。マスタとして動作する第１照明装置１００Ａはスレーブとして動作する第２照明装置１００Ｂ、１００Ｃ、１００Ｄに動作待機信号及び照明制御信号を伝送できる。これに関するより具体的な説明のために、図４及び図５を参照する。
【００５３】
図４は、複数の照明装置１００Ａ、１００Ｂ、１００Ｃ、１００Ｄ及び複数のスマート装置２００Ａ、２００Ｂ、２００Ｃ、２００Ｄを含む無線照明制御システムの動作に対する一実施形態を示す図である。
【００５４】
説明に先立ち、マスタとして動作する第１照明装置１００Ａ及びスレーブとして動作する第２照明装置１００Ｂ、１００Ｃ、１００Ｄは、第１照明装置１００Ａの無線制御範囲内に位置している状態であることを仮定する。
【００５５】
まず、第１照明装置１００Ａは、第１スマート装置２００Ａとの接続を検知する。具体的に、第１照明装置１００Ａは、第１スマート装置１００Ａとの有線接続や無線接続を検知する。その後、第１照明装置１００Ａは、照明制御アプリケーションがインストールされているか否かを確認する確認要請信号を第１スマート装置２００Ａに伝送する。
【００５６】
第１スマート装置２００Ａは、第１スマート装置２００Ａ内に照明制御アプリケーションがインストールされている状態であるかを確認し、照明制御アプリケーションがインストールされていない状態であれば、照明制御アプリケーションを要請するアプリケーション要請信号をサーバ４００に伝送する。
【００５７】
サーバ４００は、要請を受けた照明制御アプリケーションをネットワーク３００を介して第１スマート装置２００Ａに伝送する。
【００５８】
照明制御アプリケーションが第１スマート装置２００Ａにインストールされた後に実行されると、照明制御画面が構成される。実施形態によれば、照明制御画面は、予め設定された照明パターンに対応するアイコン、照明制御実行命令を入力するためのアイコン、照明制御終了命令を入力するためのアイコン及び動作待機命令を入力するためのアイコンのうち少なくとも１つを含む。このような照明制御画面は、第１スマート装置２００Ａの表示部２２０を通じて表示される。
【００５９】
この後、ユーザが照明制御画面を通じて動作待機命令を入力すると、入力された動作待機命令は有線通信部２５０を通じて第１照明装置１００Ａに伝送される。第１照明装置１００Ａは、第１スマート装置２００Ａから受信した動作待機命令を無線通信方式によって第２照明装置１００Ｂ、１００Ｃ、１００Ｄに伝送する。
【００６０】
第２照明装置１００Ｂ、１００Ｃ、１００Ｄは、第１照明装置１００Ａから受信した動作待機命令に基づいて照明部１１０を制御してユーザに動作待機命令が受信されたことを通知する。例えば、照明部１１０の光源を一定時間一定間隔で点滅させて第２照明装置１００Ｂ、１００Ｃ、１００Ｄを所持しているユーザに動作待機命令が受信されたことを通知する。
【００６１】
動作待機命令が受信されたことを確認したユーザは、各自の第２照明装置１００Ｂ、１００Ｃ、１００Ｄを第２スマート装置２００Ｂ、２００Ｃ、２００Ｄに接続させる。その結果、第２照明装置１００Ｂ、１００Ｃ、１００Ｄでは第２スマート装置２００Ｂ、２００Ｃ、２００Ｄとの接続が検知される。即ち、第２照明装置１００Ｂ、１００Ｃ、１００Ｄでは第２スマート装置２００Ｂ、２００Ｃ、２００Ｄとの有線接続や無線接続が検知される。
【００６２】
このように、第２スマート装置２００Ｂ、２００Ｃ、２００Ｄとの接続が検知されると、第２照明装置１００Ｂ、１００Ｃ、１００Ｄは、照明制御アプリケーションがインストールされているか否かを確認する確認要請信号を第２スマート装置２００Ｂ、２００Ｃ、２００Ｄに伝送する。
【００６３】
照明制御アプリケーションがインストールされているか否かを確認した結果、照明制御アプリケーションがインストールされていなかったり、更新が必要な場合、第２スマート装置２００Ｂ、２００Ｃ、２００Ｄは、照明制御アプリケーションを要請するアプリケーション要請信号や照明制御アプリケーションの更新を要請する更新要請信号をサーバ４００に伝送する。
【００６４】
サーバ４００は、要請を受けた照明制御アプリケーションをネットワーク３００を介して第２スマート装置２００Ｂ、２００Ｃ、２００Ｄに伝送する。その後、サーバ４００は、第２スマート装置２００Ｂ、２００Ｃ、２００Ｄに照明制御アプリケーションが伝送されたことを通知する信号を第１スマート装置２００Ａに伝送できる。
【００６５】
その後、第１スマート装置２００Ａのユーザが照明制御画面に表示されている照明パターンの中から所定の照明パターンを選択するか、照明パターンを設定した後、照明制御実行命令を入力すると、第１スマート装置２００Ａは、選択された照明パターンに対応する照明制御信号を生成する。生成された照明制御信号は、第１照明装置１００Ａを通じて第２照明装置１００Ｂ、１００Ｃ、１００Ｄに伝送される（Ｓ４１）。
【００６６】
第２照明装置１００Ｂ、１００Ｃ、１００Ｄは、受信した照明制御信号を第２スマート装置２００Ｂ、２００Ｃ、２００Ｄにそれぞれ伝送する。その結果、第２照明装置１００Ｂ、１００Ｃ、１００Ｄの照明部１１０及び第２スマート装置２００Ｂ、２００Ｃ、２００Ｄの表示部２２０は、照明制御信号に基づいて制御される。例えば、照明制御信号に含まれている照明部制御情報のうち、照明の色に関する情報が赤色に設定されており、表示部制御情報のうち、画面の色に関する情報が赤色に設定されている場合、第２照明装置１００Ｂ、１００Ｃ、１００Ｄの照明部１１０では赤色光（図４において陰影で表示されている）が出力され、第２スマート装置２００Ｂ、２００Ｃ、２００Ｄの表示部には赤色画面（図４において陰影で表示されている）が表示される。
【００６７】
前述した方法によれば、第２照明装置１００Ｂ、１００Ｃ、１００Ｄの照明部１１０と第２スマート装置２００Ｂ、２００Ｃ、２００Ｄの表示部２２０が同時に制御されるので、第２照明装置１００Ｂ、１００Ｃ、１００Ｄの照明部１１０のみを制御する場合に比べて、視覚的な応援効果を向上させることができる。
【００６８】
図５は、複数の照明装置１００Ａ、１００Ｂ、１００Ｃ、１００Ｄ及び複数のスマート装置２００Ａ、２００Ｂ、２００Ｃ、２００Ｄを含む無線照明制御システムの動作に対する他の実施形態を示す図である。
【００６９】
説明に先立ち、マスタとして動作する第１照明装置１００Ａ及びスレーブとして動作する第２照明装置１００Ｂ、１００Ｃ、１００Ｄは、第１照明装置１００Ａの無線制御範囲内に位置している状態であることを仮定する。
【００７０】
また、第１照明装置１００Ａは、第１スマート装置２００Ａに有線通信方式又は無線通信方式で接続された状態であり、第２照明装置１００Ｂ、１００Ｃ、１００Ｄは、第２スマート装置２００Ｂ、２００Ｃ、２００Ｄにそれぞれ有線通信方式又は無線通信方式で接続された状態であることを仮定する。そして、第１スマート装置２００Ａ及び第２スマート装置２００Ｂ、２００Ｃ、２００Ｄには、照明制御アプリケーションがインストールされた状態であることを仮定する。
【００７１】
このような状態で第１スマート装置２００Ａの照明制御アプリケーションが実行されると、照明制御画面が構成され、構成された照明制御画面は、第１スマート装置２００Ａの表示部２２０を通じて表示される。このとき、照明制御画面は、第２照明装置１００Ｂ、１００Ｃ、１００Ｄの照明部１１０を制御するのに必要な情報（以下、「照明部制御情報」という）及び第２スマート装置２００Ｂ、２００Ｃ、２００Ｄの表示部を制御するのに必要な情報（以下、「表示部制御情報」という）の入力を受けることができる入力ウィンドウやアイコンを含むことができる。
【００７２】
照明部制御情報としては、照明の色、照明の明るさ、照明開始時間、照明の点滅間隔及び照明終了時間などが挙げられる。表示部制御情報としては、表示部２２０を通じて表示する画面の色、画面の明るさ、画面表示開始時間、画面の点滅間隔、画面表示終了時間及び画面を通じて表示するコンテンツの識別情報などが挙げられる。
【００７３】
例示されているような照明部制御情報及び表示部制御情報が入力された後、照明制御実行命令が入力されると、第１スマート装置２００Ａは入力された情報を含む照明制御信号を生成する。生成された照明制御信号は、第１照明装置１００Ａを通じて第２照明装置１００Ｂ、１００Ｃ、１００Ｄにそれぞれ伝送される（Ｓ５１）。
【００７４】
第２照明装置１００Ｂ、１００Ｃ、１００Ｄは、第１照明装置１００から受信した照明制御信号を第２スマート装置２００Ｂ、２００Ｃ、２００Ｄにそれぞれ伝送する。
【００７５】
第２スマート装置２００Ｂ、２００Ｃ、２００Ｄは、照明制御信号に含まれている表示部制御情報を確認し、サーバ４００との通信が必要であるかを判断する。例えば、表示部制御情報の中にコンテンツ識別情報が含まれている場合、第２スマート装置２００Ｂ、２００Ｃ、２００Ｄは、サーバ４００にコンテンツ要請信号をそれぞれ伝送する（Ｓ５２、Ｓ５３）。
【００７６】
サーバ４００は、要請を受けたコンテンツ（例えば、イメージや動画）をネットワーク３００を介して第２スマート装置２００Ｂ、２００Ｃ、２００Ｄに伝送する（Ｓ５４、Ｓ５５）。
【００７７】
要請したコンテンツ（例えば、イメージや動画）がサーバ４００から受信されると、第２スマート装置２００Ｂ、２００Ｃ、２００Ｄは、受信したコンテンツを表示部２２０を通じてそれぞれ表示する。このとき、コンテンツは照明制御信号に含まれている表示部制御情報に基づいて表示されることができる。具体的に、表示部制御情報に含まれている画面表示開始時間、画面の点滅間隔、画面表示終了時間及び画面の明るさなどに基づいて表示されることができる。例えば、サーバ４００から受信したコンテンツがスヌーピー（Ｓｎｏｏｐｙ）のイメージであれば、表示部制御情報に含まれている画面表示開始時間、画面の点滅間隔、画面終了時間及び画面の明るさなどに基づいて、第２スマート装置２００Ｂ、２００Ｃ、２００Ｄの表示部２２０を通じてスヌーピーのイメージが表示される。
【００７８】
これと同時に、第２照明装置１００Ｂ、１００Ｃ、１００Ｄは、照明部１１０を制御する。このとき、第２照明装置１００Ｂ、１００Ｃ、１００Ｄの照明部１１０は、制御信号に含まれている照明部制御情報に基づいて制御されることができる。具体的に、照明部制御情報に含まれている照明の色、照明の明るさ、照明開始時間、照明の点滅間隔及び照明終了時間などに基づいて照明部１１０が制御されることができる。例えば、照明部制御情報のうち、照明の色に関する情報が赤色に設定されていれば、照明部制御情報に含まれている照明の明るさ、照明開始時間、照明の点滅間隔及び照明終了時間などに基づいて第２照明装置１００Ｂ、１００Ｃ、１００Ｄの照明部１１０では赤色光（図５において陰影で表示されている）が出力される。
【００７９】
前述した方法によれば、第２照明装置１００Ｂ、１００Ｃ、１００Ｄの照明部１１０と第２スマート装置２００Ｂ、２００Ｃ、２００Ｄの表示部２２０が同時に制御されるので、第２照明装置１００Ｂ、１００Ｃ、１００Ｄの照明部１１０のみを制御する場合に比べて、視覚的な応援効果を向上させることができる。また、複数の第２スマート装置２００Ｂ、２００Ｃ、２００Ｄを通じてテキスト、イメージ、又は動画などの多様なコンテンツを一括して表示できるので、多様な方式の視覚的な応援が可能である。
【００８０】
以上、図１〜図５を参照して、本発明の一実施形態に係る無線照明制御システム及び無線照明制御システムの動作を説明した。図１〜図５を参照した説明では、第１スマート装置２００Ａで生成された照明制御信号が第１照明装置１００Ａを通じて第２照明装置１００Ｂ、１００Ｃ、１００Ｄに伝送される場合を説明した。他の実施形態によれば、第１スマート装置２００Ａで生成された照明制御信号は、第２スマート装置２００Ｂ、２００Ｃ、２００Ｄを通じて照明装置１００Ｂ、１００Ｃ、１００Ｄに伝送されることもできる。
【００８１】
また、図１〜図５を参照した説明では第１スマート装置２００Ａで生成された照明制御信号に基づいて、第２照明装置１００Ｂ、１００Ｃ、１００Ｄの照明部１１０及び第２スマート装置２００Ｂ、２００Ｃ、２００Ｄの表示部２２０が制御される場合を説明した。他の実施形態によれば、第１スマート装置２００Ａで生成された照明制御信号に基づいて、第１照明装置１００Ａの照明部１１０及び第１スマート装置２００Ａの表示部２２０も制御されることができる。
【００８２】
以上、本発明の実施形態を説明した。前述した実施形態に加えて、本発明の実施形態は前述した実施形態の少なくとも１つの処理要素を制御するためのコンピュータ読み取り可能なコード／命令を含む媒体、例えば、コンピュータ読み取り可能な媒体を通じて実現されることもできる。前記媒体は、前記コンピュータ読み取り可能なコードの格納及び／又は伝送を可能にする媒体／各媒体に対応できる。
【００８３】
前記コンピュータ読み取り可能なコードは、媒体に記録され得るだけでなく、インターネットを介して伝送されることもできるが、前記媒体は例えば、マグネチック格納媒体（例えば、ＲＯＭ、フロッピーディスク、ハードディスクなど）及び光学記録媒体（例えば、ＣＤ-ＲＯＭ、Ｂｌｕ-Ｒａｙ、ＤＶＤ）のような記録媒体、搬送波（ｃａｒｒｉｅｒ ｗａｖｅ）のような伝送媒体を含むことができる。前記媒体は分散ネットワークであることもできるので、コンピュータで読み取れるコードは分散方式で格納／伝送され、実行されることができる。更に、単なる一例として、処理要素はプロセッサ又はコンピュータプロセッサを含むことができ、前記処理要素は１つのデバイス内に分散及び／又は含まれることができる。
【００８４】
以上のように例示された図面を参照して本発明の実施形態を説明したが、本発明が属する技術分野において通常の知識を有する者は、本発明がその技術的思想や必須な特徴を変更することなく、他の具体的な形態で実施され得るということが理解できるはずである。従って、前述した実施形態はあらゆる面で例示的なものであり、限定的ではないものとして理解すべきである。
【図１】
2019125586.tif 000003
【図２】
2019125586.tif 000004
【図３】
2019125586.tif 000005
【図４】
2019125586.tif 000006
【図５】
2019125586.tif 000007
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
公演会場内の各座席に位置する観客の応援用照明装置と、
前記公演会場内で前記応援用照明装置を予め定義された照明パターンによって動作するように制御するために必要な情報を含む照明制御データを生成するマスタ装置とを含み、
前記応援用照明装置は、
前記マスタ装置により生成された前記照明制御データを受信し、
前記応援用照明装置のそれぞれがスマート装置のそれぞれと接続されている場合、前記互いに接続されているそれぞれのスマート装置から前記照明制御データを受信する、応援用照明装置の制御システム。
【請求項２】
前記マスタ装置は、
前記予め定義された照明パターンを基に照明の色、照明の明るさ、照明の点灯時刻、照明の点滅間隔、及び照明の消灯時刻のうち少なくとも１つを含む応援用照明装置の照明部制御情報を決定し、前記照明部制御情報に対応して前記照明制御データを生成することを特徴とする請求項１に記載の応援用照明装置の制御システム。
【請求項３】
前記応援用照明装置のうち何れか１つである第１応援用照明装置が前記スマート装置のうち何れか１つである第１スマート装置と接続されている場合、
前記第１応援用照明装置の照明制御アプリケーションインストール要請信号によって、前記第１スマート装置に前記照明制御アプリケーションがインストールされ、
前記第１スマート装置に前記照明制御アプリケーションがインストールされて実行されると、前記第１スマート装置は、前記照明制御アプリケーションを介してユーザから前記第１応援用照明装置の照明制御のために必要な情報を獲得し、前記獲得された情報を基に前記第１応援用照明装置に対応する前記照明制御データを前記第１応援用照明装置に提供することを特徴とする請求項１に記載の応援用照明装置の制御システム。
【請求項４】
前記第１スマート装置が前記第１応援用照明装置の照明制御のために必要な情報を獲得した場合、
前記第１スマート装置は、前記獲得された情報に対応する前記照明制御データを前記マスタ装置から受信することを特徴とする請求項３に記載の応援用照明装置の制御システム。